【手続補正書】
【提出日】平成30年3月19日(2018.3.19)
【手続補正１】
【補正対象書類名】特許請求の範囲
【補正対象項目名】全文
【補正方法】変更
【補正の内容】
【特許請求の範囲】
【請求項１】
通信セッションのためにクライアント装置を構成するシステムであって：
少なくとも一つのプロセッサと；
前記少なくとも一つのプロセッサによる実行に応答して当該システムに動作を実行させる命令が記憶されている一つまたは複数のコンピュータ可読記憶媒体とを有しており、前記動作は：
通信セッションがネットワークにおいて開始されるという通知を受信する段階であって、前記通知は、前記通信セッションの属性についての値を含むセッション通知アプリケーション・プログラミング・インターフェース（API）を含む、段階と；
前記セッション通知APIの一部として受領された前記通信セッションの前記属性を判別する段階と；
前記セッション通知APIの一部として受領された前記通信セッションの前記属性を前記ネットワークについてのネットワーク・ポリシーに適用して前記通信セッションのためのパラメータを指定する段階と；
前記通信セッションのための前記パラメータをもってセッション構成APIを構成する段階と；
前記通信セッションのための前記パラメータをもって構成された前記セッション構成APIを含む構成イベントを生成する段階と；
前記構成イベントを、前記ネットワークに接続されており、前記通信セッションに参加しているクライアント装置に通信して、前記クライアント装置を前記通信セッションのために構成されるようにする段階とを含む、
システム。
【請求項２】
前記通知は前記通信セッションのデータ・パケットとは別個である、請求項１記載のシステム。
【請求項３】
前記セッション通知APIは前記通信セッションの複数の属性を含む、請求項１記載のシステム。
【請求項４】
前記通信セッションのための前記パラメータが、前記クライアント装置によって適用されるべき無線挙動を指定する、請求項１記載のシステム。
【請求項５】
前記通信セッションのための前記パラメータが、前記通信セッションのデータ・パケットに前記クライアント装置によって適用されるべきサービス品質マーキングを指定する、請求項１記載のシステム。
【請求項６】
前記動作がさらに：
前記通信セッションにおける変化の指標を受領する段階と；
前記通信セッションのための前記パラメータに対する変化または前記通信セッションのための異なるパラメータへの変更の少なくとも一方を含む再構成イベントを生成する段階と；
前記再構成イベントを、前記クライアント装置に通信する段階とを含む、
請求項１記載のシステム。
【請求項７】
コンピュータ実装される方法であって：
通信セッションがネットワークにおいて開始されるという通知を受信する段階であって、前記通知は、前記通信セッションの属性についての値を含むセッション通知アプリケーション・プログラミング・インターフェース（API）を含む、段階と；
前記セッション通知APIの一部として受領された前記通信セッションの前記属性を判別する段階と；
前記セッション通知APIの一部として受領された前記通信セッションの前記属性を前記ネットワークについてのネットワーク・ポリシーに適用して前記通信セッションのためのパラメータを指定する段階と；
前記通信セッションのための前記パラメータをもってセッション構成APIを構成する段階と；
前記通信セッションのための前記パラメータをもって構成された前記セッション構成APIを含む構成イベントを生成する段階と；
前記構成イベントを、前記ネットワークに接続されており、前記通信セッションに参加しているクライアント装置に通信して、前記クライアント装置を前記通信セッションのために構成されるようにする段階とを含む、
方法。
【請求項８】
前記通信セッションのための前記パラメータが、前記クライアント装置によって適用されるべき無線挙動を指定する、請求項７記載の方法。
【請求項９】
装置に：
無線事業体ネットワークのネットワーク・コントローラから、通信セッションのための構成イベントを受領する段階であって、前記構成イベントは、前記通信セッションのためのパラメータをもって構成されたセッション構成アプリケーション・プログラミング・インターフェース（API）を含み、前記構成イベントは、前記通信セッションのパケットからは帯域外で受領され、前記パラメータは前記通信セッションおよび前記無線事業体ネットワークの両方に固有である、段階と；
前記構成イベントを処理して、前記通信セッションについての前記パラメータを同定する段階と；
前記パラメータに基づいて前記通信セッションのために前記装置を構成する段階とを実行させるためのコンピュータ・プログラム。
【請求項１０】
前記パラメータが前記通信セッションについての無線挙動を含み、前記構成する段階は、クライアント装置の無線装置を、前記無線挙動に従って機能するよう構成することを含む、
請求項９記載のコンピュータ・プログラム。
【手続補正２】
【補正対象書類名】明細書
【補正対象項目名】０１５６
【補正方法】変更
【補正の内容】
【０１５６】
〈まとめ〉
セッション・ベースの装置構成のための技法が記載される。実施形態は構造的な特徴および／または方法論的な工程に固有の言辞で記載されているが、付属の請求項において定義される実施形態は必ずしも記載されるそれらの個別的な特徴または工程に限定されないことは理解しておくものとする。むしろ、それらの個別的な特徴および工程は、特許請求される実施形態を実装する例示的な形として開示されている。
いくつかの態様を記載しておく。
〔態様１〕
通信セッションのためにクライアント装置を構成するシステムであって：
少なくとも一つのプロセッサと；
前記少なくとも一つのプロセッサによる実行に応答して当該システムに動作を実行させる命令が記憶されている一つまたは複数のコンピュータ可読記憶媒体とを有しており、前記動作は：
通信セッションがネットワークにおいて開始されるという通知の一部として受領された通信セッションの属性を判別する段階と；
前記通信セッションの属性を前記ネットワークについてのネットワーク・ポリシーに適用して前記通信セッションのためのパラメータを指定する段階と；
前記通信セッションのための前記パラメータを含む構成イベントを生成する段階と；
前記構成イベントを、前記ネットワークに接続されており、前記通信セッションに参加しているクライアント装置に通信して、前記クライアント装置を前記通信セッションのために構成されるようにする段階とを含む、
システム。
〔態様２〕
前記通知は前記通信セッションのデータ・パケットとは別個である、態様１記載のシステム。
〔態様３〕
前記属性は、前記通信セッションの複数の属性を含むアプリケーション・プログラミング・インターフェース（API）の一部として受領される、態様１記載のシステム。
〔態様４〕
前記パラメータが、前記クライアント装置によって適用されるべき無線挙動を指定する、態様１記載のシステム。
〔態様５〕
前記パラメータが、前記通信セッションのデータ・パケットに前記クライアント装置によって適用されるべきサービス品質マーキングを指定する、態様１記載のシステム。
〔態様６〕
前記動作がさらに：
前記通信セッションにおける変化の指標を受領する段階と；
前記パラメータに対する変化または前記通信セッションのための異なるパラメータへの変更の少なくとも一方を含む再構成イベントを生成する段階と；
前記再構成イベントを、前記クライアント装置に通信する段階とを含む、
態様１記載のシステム。
〔態様７〕
通信セッションのためにクライアント装置を構成するコンピュータ実装される方法であって：
事業体ネットワークの外部にあるサービスによって、前記事業体ネットワークにおいて生起しつつある通信セッションの属性を含む通知イベントを構成する段階と；
前記通知イベントを前記事業体ネットワークについてのネットワーク・コントローラに通信する段階であって、前記ネットワーク・コントローラが、前記通知イベントに基づいて構成イベントを生成し、前記構成イベントを前記通信セッションに参加しているクライアント装置に通信することをさせ、前記クライアント装置が前記構成イベントに基づいて前記通信セッションについて構成されるようにする、段階とを含む、
方法。
〔態様８〕
前記通信する段階は、前記通知イベントを前記通信イベントのデータ・パケットとは別個に通信することを含む、態様７記載の方法。
〔態様９〕
通信セッションのためにクライアント装置を構成するための動作を実行するために実行可能な命令が記憶されている一つまたは複数のコンピュータ可読記憶媒体であって、前記動作は：
クライアント装置において、通信セッションについて適用されるべきパラメータを含む構成イベントを受領する段階であって、前記構成イベントは、前記通信セッションのパケットからは帯域外で受領され、前記パラメータは前記通信セッションおよび前記クライアント装置が接続されているネットワークの両方に固有である、段階と；
前記構成イベントを処理して、前記通信セッションについての前記パラメータを同定する段階と；
前記パラメータに基づいて前記通信セッションのために前記クライアント装置を構成する段階とを含む、
一つまたは複数のコンピュータ可読記憶媒体。
〔態様１０〕
前記パラメータが前記通信セッションについての無線挙動を含み、前記構成する段階は、前記クライアント装置の無線装置を、前記無線挙動に従って機能するよう構成することを含む、
態様９記載の一つまたは複数のコンピュータ可読記憶媒体。